(57)【要約】【課題】  遮光状態において、光が各スラット間の隙間から入るのを抑制し得るブラインドを提供する。【解決手段】  各スラット２は、長板状に形成される基板部２１と、基板部２１の幅方向の一端部２１１から突出する第１平板部２２と、基板部２１の幅方向の他端部２１２から第１平板部２２と反対側に向けて突出し、且つ第１平板部２２と平行に配置される第２平板部２３とを備え、各第１平板部２２は、遮光状態において、前記所定方向に沿って面一となるように配置されると共に、各第２平板部２３は、遮光状態において、前記所定方向に沿って面一となるように配置されることを特徴とする。【選択図】  図４
2012057400.tif 000002
【特許請求の範囲】
【請求項１】
長手方向が平行となるように配置され、且つ所定方向に沿って並設される複数のスラットと、各スラットを支持する支持手段とを備え、
支持手段は、採光状態と遮光状態とに切り替えるべく、各スラットを長手方向を中心に回動させるブラインドにおいて、
各スラットは、長板状に形成される基板部と、基板部の幅方向の一端部から突出する第１平板部と、基板部の幅方向の他端部から第１平板部と反対側に向けて突出し、且つ第１平板部と平行に配置される第２平板部とを備え、
各第１平板部は、遮光状態において、前記所定方向に沿って面一となるように配置されると共に、各第２平板部は、遮光状態において、前記所定方向に沿って面一となるように配置されることを特徴とするブラインド。
【請求項２】
各スラットの第１平板部は、基板部と傾斜して交差するように配置されると共に、遮光状態において、隣接される一方側のスラットと、前記所定方向と直交する方向で重なり合うように配置され、
各スラットの第２平板部は、基板部と傾斜して交差するように配置されると共に、遮光状態において、隣接される他方側のスラットと、前記所定方向と直交する方向で重なり合うように配置される請求項１に記載のブラインド。
【発明の詳細な説明】
【技術分野】
【０００１】
本発明は、長手方向が平行となるように複数のスラットが並設されているブラインドに関する。
【背景技術】
【０００２】
従来、ブラインドとして、長手方向が平行となるように配置され、且つ所定方向に沿って並設される複数のスラットと、各スラットを支持する支持手段とを備えるブラインドが知られている（例えば、特許文献１）。そして、斯かるブラインドによれば、支持手段が各スラットを長手方向を中心に回動させることで、採光状態と遮光状態とに切り替えることができる。
【先行技術文献】
【特許文献】
【０００３】
【特許文献１】特開平６−８８４７０号公報
【発明の概要】
【発明が解決しようとする課題】
【０００４】
ところで、特許文献１に係るブラインドによれば、各スラットが平板状に形成されているため、支持手段が各スラットを遮光状態の位置で支持すると、各スラットが鉛直方向（又は水平方向）に対して傾斜した状態で互いに平行となるように配置される。したがって、遮光状態において、各スラット間の隙間、即ち、光の侵入経路が直線状となるため、光が各スラット間の隙間から入り易いといった問題を生じさせていた。
【０００５】
よって、本発明は、斯かる事情に鑑み、遮光状態において、光が各スラット間の隙間から入るのを抑制し得るブラインドを提供することを課題とする。
【課題を解決するための手段】
【０００６】
本発明に係るブラインドは、長手方向が平行となるように配置され、且つ所定方向に沿って並設される複数のスラットと、各スラットを支持する支持手段とを備え、支持手段は、採光状態と遮光状態とに切り替えるべく、各スラットを長手方向を中心に回動させるブラインドにおいて、各スラットは、長板状に形成される基板部と、基板部の幅方向の一端部から突出する第１平板部と、基板部の幅方向の他端部から第１平板部と反対側に向けて突出し、且つ第１平板部と平行に配置される第２平板部とを備え、各第１平板部は、遮光状態において、前記所定方向に沿って面一となるように配置されると共に、各第２平板部は、遮光状態において、前記所定方向に沿って面一となるように配置されることを特徴とする。
【０００７】
本発明に係るブラインドによれば、長板状に形成される基板部の幅方向の一端部から突出する第１平板部と、基板部の幅方向の他端部から第１平板部と反対側に向けて突出する第２平板部とが、平行である。そして、遮光状態において、各第１平板部が所定方向（スラットが並設される方向）に沿って面一になると共に、各第２平板部が所定方向（スラットが並設される方向）に沿って面一となる。これにより、各スラット間の隙間、即ち、光の侵入経路が直線状となるのを防止できる。
【０００８】
また、本発明に係るブラインドにおいては、各スラットの第１平板部は、基板部と傾斜して交差するように配置されると共に、遮光状態において、隣接される一方側のスラットと、前記所定方向と直交する方向で重なり合うように配置され、各スラットの第２平板部は、基板部と傾斜して交差するように配置されると共に、遮光状態において、隣接される他方側のスラットと、前記所定方向と直交する方向で重なり合うように配置されてもよい。
【０００９】
斯かる構成のブラインドによれば、基板部と第１平板部とが傾斜して交差していると共に、基板部と第２平板部とが傾斜して交差している。そして、遮光状態において、各スラットの第１平板部が、隣接される一方側のスラットと、所定方向（スラットが並設される方向）と直交する方向で重なり合うと共に、各スラットの第２平板部が、隣接される他方側のスラットと、所定方向と直交する方向で重なり合う。これにより、各平板部同士間の隙間、即ち、光の侵入経路の出入口を小さくすることができる。
【発明の効果】
【００１０】
以上の如く、本発明に係るブラインドによれば、遮光状態において、各スラット間の隙間、即ち、光の侵入経路が直線状となるのを防止できるため、光が各スラット間の隙間から入るのを抑制し得るという優れた効果を奏する。
【図面の簡単な説明】
【００１１】
【図１】本発明の一実施形態に係るブラインドの全体正面図を示す。
【図２】同実施形態に係るブラインドの全体側面図を示す。
【図３】同実施形態に係るブラインドにおけるスラットの要部斜視図を示す。
【図４】同実施形態に係るブラインドの動作を説明する図であって、（ａ）は採光状態における要部側面図、（ｂ）は遮光状態における要部側面図を示す。
【図５】本発明の他の実施形態に係るブラインドの斜視図であって、（ａ）は斜視図、（ｂ）はＣ領域の拡大図、（ｃ）はＤ領域の拡大図を示す。
【図６】本発明のさらに他の実施形態に係るブラインドの図であって、（ａ）はスラットの要部斜視図、（ｂ）は遮光状態における要部側面図を示す。
【発明を実施するための形態】
【００１２】
以下、本発明に係るブラインドにおける一実施形態について、図１〜図４を参酌して説明する。
【００１３】
本実施形態に係るブラインドは、図１〜図３に示すように、横型ブラインドであって、壁や窓といった被固定物に固定される長尺なヘッドボックス１と、ヘッドボックス１の下方側に、上下方向（鉛直方向）に沿って並設される複数のスラット２，…と、各スラット２を支持する支持手段３と、支持手段３の下端部に取り付けられるボトムレール４とを備える。また、ブラインドは、ボトムレール４を昇降させる昇降手段５と、支持手段３を介して各スラット２を回動させる回動手段６とを備える。
【００１４】
各スラット２は、長板状に形成される基板部２１と、基板部２１の幅方向の一端部２１１から突出する平板状の第１平板部２２と、基板部２１の幅方向の他端部２１２から第１平板部２１と反対側に向けて突出する平板状の第２平板部２３とを備える。そして、複数のスラット２，…は、長手方向が互いに平行となるように配置されていると共に、長手方向がヘッドボックス１の長手方向と平行となるように配置されている。
【００１５】
基板部２１は、平板状に形成されている。また、基板部２１は、幅方向に沿って延設される貫通孔２１３，２１３を一対備えている。
【００１６】
第１平板部２２は、基板部２１の一端部２１１と基端部２２１で連結されている。そして、第１平板部２２は、平板状の基端部２１と傾斜して交差するように配置されている。具体的には、第１平板部２２の各面２２２，２２３は、基板部２１の各面２１４，２１５と傾斜して交差するように配置されている。
【００１７】
第２平板部２３は、基板部２１の他端部２１２と基端部２３１で連結されている。そして、第２平板部２３は、平板状の基端部２１と傾斜して交差するように配置されている。具体的には、第２平板部２３の各面２３２，２３３は、基端部２１の各面２１４，２１５と傾斜して交差するように配置されている。
【００１８】
また、第１平板部２２と第２平板部２３とは、平行に配置されている。具体的には、第１平板部２２の各面２２２，２２３と第２平板部２３の各面２３２，２３３とは、それぞれ平行に配置されている。
【００１９】
支持手段３は、上下方向に沿って配置される第１縦コード３１，３１と、上下方向に沿って配置され、各第１縦コード３１とで、スラット２，…を挟む第２縦コード３２，３２と、第１縦コード３１と第２縦コード３２とに各端部で接続される複数の横コード３３，…とを備える。なお、各縦コード３１，３２は、上端部でヘッドボックス１に接続されていると共に、下端部でボトムレール４に接続されている。即ち、本実施形態において、支持手段３は、一対のラダーコードとしている。
【００２０】
そして、支持手段３は、各縦コード３１，３２がスラット２と当接することで、各スラット２を側方側から支持すると共に、各横コード３３がスラット２を載置することで、各スラット２を下方側から支持する。また、支持手段３は、各第１縦コード３１と各第２縦コード３２とが上下方向で相対的に変位すると、各スラット２を各スラット２の長手方向を中心に回動させることができるため、採光状態と遮光状態とに切り替えることができる。
【００２１】
ボトムレール４は、長手方向がヘッドボックス１や各スラット２の長手方向と平行となるように配置されている。また、ボトムレール４は、上面部４１の形状をスラット２の形状に対応させて、凹凸状に形成されている。
【００２２】
昇降手段５は、各スラット２の各貫通孔２１３に挿通され、下端部でボトムレール４に接続される一対の昇降コード５１，５１と、各昇降コード５１と接続され、ボトムレール４を昇降させる際に操作される操作コード５２とを備える。また、昇降手段５は、操作コード５２を所望位置で保持するために、一対のローラで操作コード５２を圧接するコードストッパ５３を備える。
【００２３】
回動手段６は、各スラット２を回動させる際に、回転操作される操作棒６１を備える。そして、回動手段６は、ヘッドボックス１内部に配置され、操作棒６１が回転することにより、各第１縦コード３１と各第２縦コード３２とを上下方向で相対的に変位させる変位手段６２を備える。
【００２４】
本実施形態に係るブラインドの構成については以上の通りであり、次に、本実施形態に係るブラインドの動作について、図２及び図４を参酌して説明する。なお、図４においては、スラット２，…と第１及び第２縦コード３１，３２との関係を明確にすべく、横コード３３，…と昇降コード５１とを省略している。
【００２５】
まず、採光状態においては、第１平板部２２及び第２平板部２３が第１及び第２縦コード３１，３２と傾斜して交差するように、各スラット２が支持手段３に支持されている。なお、図２及び図４（ａ）に示すように、採光状態のうち全開状態、即ち、各スラット２間の隙間が一番大きい状態では、第１平板部２２と第１縦コード３１（第２平板部２３と第２縦コード３２）との交差角度が一番大きくなる。
【００２６】
そして、全開状態においては、各横コード３３が横方向（水平方向）に沿って配置されているため、第１平板部２２の先端部２２４と第２平板部２３の基端部２３１とが横コード３３に当接することで、各スラット２が横コード３３に下方側から支持されている。また、第１平板部２２の先端部２２４が第１縦コード３１に当接すると共に、第２平板部２３の先端部２３４が第２縦コード３２に当接することで、各スラット２が第１及び第２縦コード３１，３２に側方側から支持されている。
【００２７】
斯かる状態から、操作棒６１を回転すると、第１縦コード３１が下方向（図４（ｂ）のＡ矢印方向）に移動すると共に、第２縦コード３２が上方向（図４（ｂ）のＢ矢印方向）に移動する。そして、各第１縦コード３１と各第２縦コード３２とが上下方向で相対的に変位するのに伴って、第１平板部２２と第１縦コード３１（第２平板部２３と第２縦コード３２）との交差角度が次第に小さくなる。
【００２８】
そして、操作棒６１の回転を続けると、図４（ｂ）に示すように、遮光状態となる。斯かる遮光状態においては、第１平板部２２の先端部２２４と第２平板部２３の基端部２３１とが横コード３３に当接することで、各スラット２が横コード３３に下方側から支持されている。また、第１平板部２２の表面（一方側の面）２２２が第１縦コード３１に当接すると共に、第２平板部２３の裏面（他方側の面）２３３が第２縦コード３２に当接することで、各スラット２が第１及び第２縦コード３１，３２に側方側から支持されている。
【００２９】
これにより、第１平板部２２，…が上下方向（スラット２，…が並設される方向）に沿って面一となるように配置されると共に、第２平板部２３，…が上下方向に沿って面一となるように配置される。また、各第１平板部２２の全体が、下方側で隣接されスラット２の第２平板部２３と、横方向で重なり合うように配置されると共に、各第２平板部２３の全体が、上方側で隣接されるスラット２の第１平板部２２と、横方向で重なり合うように配置される。
【００３０】
なお、本実施形態に係るブラインドにおいては、全開状態から、操作コード５２を操作する（引く）ことで、ボトムレール４を引き上げることができ、これにより、ボトムレール４が下段のスラット２から順次引き上げる。そして、操作コード５２を十分に引いた後で、操作コード５２をコードストッパ５３で保持することにより、複数のスラット２，…を重ねてコンパクトな状態で保持することができる。
【００３１】
以上より、本実施形態に係るブラインドによれば、遮光状態において、基板部２１の一端部２１１から突出する第１平板部２２，…が、上下方向（スラット２，…が並設される方向）に沿って面一になると共に、基板部２１の他端部２１２から反対側に向けて突出する第２平板部２３，…が、上下方向に沿って面一となる。
【００３２】
これにより、各スラット２，２間の隙間、即ち、光の侵入経路が直線状となるのを防止できるため、光が各スラット２，２間の隙間から入るのを抑制し得る。しかも、遮光状態においては、各平板部２２，２３，…が上下方向に沿って面一となるため、スラット２にほこり等が堆積するのを防止できる。
【００３３】
また、本実施形態に係るブラインドによれば、遮光状態において、第１平板部２２が、下方側で隣接されるスラット２と、横方向（スラット２，…が並設される方向と直交する方向）で重なり合うと共に、第２平板部２３が、上方側で隣接されるスラット２と、上下方向で重なり合う。これにより、各平板部２１，２１（２２，２２）同士間の隙間、即ち、光の侵入経路の出入口を小さくすることができる。
【００３４】
なお、本発明に係るブラインドは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００３５】
例えば、上記実施形態に係るブラインドにおいては、スラット２，…が長手方向を横方向に沿って配置される、即ち、横型ブラインドである場合を説明したが、斯かる場合に限られず、スラットが長手方向を上下方向に沿って配置される、即ち、縦型ブラインドである場合でもよい。
【００３６】
また、上記実施形態に係るブラインドにおいては、支持手段３が一対の縦コード３１，３２と横コード３３，…とを備える場合を説明したが、斯かる場合に限られない。例えば、第１縦コード３１と第１平板部２２とが交差する角度や、第２縦コード３２と第２平板部２３とが交差する角度を変更できるように、保持手段は、一対の縦コード３１，３２と、各縦コード３１，３２とスラット２とを接続する接続手段とを備える場合でもよい。
【００３７】
具体的には、各縦コード３１，３２とスラット２とを枢着する接続手段でもよく、図５に示すような接続手段３０４，３０５でもよい。図５に係る保持手段３０は、第１縦コード３１と、第２縦コード３２と、スラット２の第１平板部２２の先端部２２４と第１縦コード３１とを接続する第１接続手段３０３と、スラット２の第２平板部２３の先端部２３４と第２縦コード３２とを接続する第２接続手段３０４とを備える。
【００３８】
そして、各接続手段３０３（３０４）は、スラット２に固定される環状のスラット固定材３０３ａ（３０４ａ）と、縦コード３１（３２）に固定される環状のコード固定材３０３ｂ（３０４ｂ）と、スラット固定材３０３ａ（３０４ａ）とコード固定材３０３ｂ（３０４ｂ）とを連結する環状の連結部材３０３ｃ（３０４ｃ）とを備える。なお、連結部材３０３ｃ（３０４ｃ）を設けることなく、スラット固定材３０３ａ（３０４ａ）とコード固定材３０３ｂ（３０４ｂ）とを直接連結する場合でもよい。
【００３９】
また、上記実施形態に係るブラインドにおいては、基板部２１と第１平板部２２とが傾斜して交差していると共に、基板部２１と第２平板部２３とが傾斜して交差している場合を説明したが、斯かる場合に限られない。例えば、図６に示すスラット２０のように、基板部２１０と第１平板部２２０とが直交して交差すると共に、基板部２１０と第２平板部２３０とが直交して交差する場合でもよい。
【００４０】
また、本発明に係るブラインドは、各平板部の各面が平面である場合だけでなく、若干湾曲していたり、若干凹凸していたりする場合でもよい。
【００４１】
また、本発明に係るブラインドは、スラットの各面が鏡面仕上げ（例えばクロームメッキ仕上げ）の構成としてもよい。斯かる構成によれば、採光状態においては、スラットが屋外からの光を高い反射率で反射するため、光を室内に効率よく採り込むことができる。したがって、例えば、照明の点灯（時間や領域）を最小限にすることで、電気代を節約できたり、また、冬季においては、太陽光による熱を採り込むことで、室内の温度を暖かくできたりもする。
【００４２】
その一方、遮光状態においては、室内の照明を高い反射率で反射するため、照明の光を効率的に室内で利用でき、室内（部屋内、工場内、オフィス内）を広く明るくすることができたり、また、室内において鏡として利用したりすることができる。しかも、室外（外部）からも鏡となるため、防犯の効果を期待できると共に、太陽光が反射することにより、鳥避けの効果も期待できる。
【符号の説明】
【００４３】
２…スラット、３…支持手段、２１…基板部、２２…第１平板部、２３…第２平板部、２１１…（基板部の幅方向の）一端部、２１２…（基板部の幅方向の）他端部
【図１】
2012057400.tif 000003
【図２】
2012057400.tif 000004
【図３】
2012057400.tif 000005
【図４】
2012057400.tif 000006
【図５】
2012057400.tif 000007
【図６】
2012057400.tif 000008
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
長手方向が平行となるように配置され、且つ所定方向に沿って並設される複数のスラットと、各スラットを支持する支持手段とを備え、
支持手段は、採光状態と遮光状態とに切り替えるべく、各スラットを長手方向を中心に回動させるブラインドにおいて、
各スラットは、長板状に形成される遮光性の基板部と、基板部の幅方向の一端部から突出する遮光性の第１平板部と、基板部の幅方向の他端部から第１平板部と反対側に向けて突出し、且つ第１平板部と平行に配置される遮光性の第２平板部とを備え、
各第１平板部は、遮光状態において、前記所定方向に沿って面一となるように配置されると共に、各第２平板部は、遮光状態において、前記所定方向に沿って面一となるように配置され、
各スラットの第１平板部は、基板部と傾斜して交差するように配置されると共に、遮光状態において、隣接される一方側のスラットと、全体が前記所定方向と直交する方向で重なり合うように配置され、
各スラットの第２平板部は、基板部と傾斜して交差するように配置されると共に、遮光状態において、隣接される他方側のスラットと、全体が前記所定方向と直交する方向で重なり合うように配置されることを特徴とするブラインド。
【請求項２】
各スラットは、長手方向が横方向に沿うように配置されると共に、上下方向に沿って並設され、
支持手段は、上下方向に沿って配置される第１縦コードと、上下方向に沿って配置され、第１縦コードとでスラットを挟むと共に、各スラットを長手方向を中心に回動させるべく、第１縦コードと上下方向で相対的に変位する第２縦コードと、第１縦コードと第２縦コードとに各端部で接続され、スラットを載置する複数の横コードとを備える請求項１に記載のブラインド。
【手続補正２】
【補正対象書類名】明細書
【補正対象項目名】０００６
【補正方法】変更
【補正の内容】
【０００６】
本発明に係るブラインドは、長手方向が平行となるように配置され、且つ所定方向に沿って並設される複数のスラットと、各スラットを支持する支持手段とを備え、支持手段は、採光状態と遮光状態とに切り替えるべく、各スラットを長手方向を中心に回動させるブラインドにおいて、各スラットは、長板状に形成される遮光性の基板部と、基板部の幅方向の一端部から突出する遮光性の第１平板部と、基板部の幅方向の他端部から第１平板部と反対側に向けて突出し、且つ第１平板部と平行に配置される遮光性の第２平板部とを備え、各第１平板部は、遮光状態において、前記所定方向に沿って面一となるように配置されると共に、各第２平板部は、遮光状態において、前記所定方向に沿って面一となるように配置され、各スラットの第１平板部は、基板部と傾斜して交差するように配置されると共に、遮光状態において、隣接される一方側のスラットと、全体が前記所定方向と直交する方向で重なり合うように配置され、各スラットの第２平板部は、基板部と傾斜して交差するように配置されると共に、遮光状態において、隣接される他方側のスラットと、全体が前記所定方向と直交する方向で重なり合うように配置されることを特徴とする。
【手続補正３】
【補正対象書類名】明細書
【補正対象項目名】０００８
【補正方法】変更
【補正の内容】
【０００８】
また、本発明に係るブラインドは、各スラットの第１平板部は、基板部と傾斜して交差するように配置されると共に、遮光状態において、隣接される一方側のスラットと、前記所定方向と直交する方向で重なり合うように配置され、各スラットの第２平板部は、基板部と傾斜して交差するように配置されると共に、遮光状態において、隣接される他方側のスラットと、前記所定方向と直交する方向で重なり合うように配置されている。斯かる構成のブラインドによれば、基板部と第１平板部とが傾斜して交差していると共に、基板部と第２平板部とが傾斜して交差している。そして、遮光状態において、各スラットの第１平板部が、隣接される一方側のスラットと、所定方向（スラットが並設される方向）と直交する方向で重なり合うと共に、各スラットの第２平板部が、隣接される他方側のスラットと、所定方向と直交する方向で重なり合う。これにより、各平板部同士間の隙間、即ち、光の侵入経路の出入口を小さくすることができる。
【手続補正４】
【補正対象書類名】明細書
【補正対象項目名】０００９
【補正方法】変更
【補正の内容】
【０００９】
また、本発明に係るブラインドにおいては、各スラットは、長手方向が横方向に沿うように配置されると共に、上下方向に沿って並設され、支持手段は、上下方向に沿って配置される第１縦コードと、上下方向に沿って配置され、第１縦コードとでスラットを挟むと共に、各スラットを長手方向を中心に回動させるべく、第１縦コードと上下方向で相対的に変位する第２縦コードと、第１縦コードと第２縦コードとに各端部で接続され、スラットを載置する複数の横コードとを備えてもよい。